(57)【特許請求の範囲】
【請求項１】
セメントを主材とする外装板の基板をその裏面を下方に向けて搬送する搬送ラインと、その搬送ラインに沿って搬送される基板の裏面に防水剤を塗布する塗布ロールとを備えている建築用外装板の塗装設備であって、
１列目に、基板を保持する鉄ロールが設けられ、前記鉄ロールより搬送方向下手側に備えられた前記塗布ロールが、前記搬送ラインの搬送方向視において前記基板の横幅よりも短い横幅を有する複数の単位塗布ロールで構成され、
その複数の単位塗布ロールのうち、前記搬送方向視において互いに隣接するものどうしが重複して、前記搬送方向視における前記複数の単位塗布ロールの全横幅が、前記基板の横幅よりも長くなるように構成され、前記単位塗布ロールとしての単位モールロールの配置は、搬送方向上手側には前記搬送方向視での左右に振り分けた状態で一対の単位モールロールが配設され、それら一対の単位モールロールの搬送方向下手側には、前記両単位モールロールの中間に位置する状態で一つの単位モールロールが配設され、
前記複数の単位塗布ロールのうち、特定の単位塗布ロールとほぼ同じ横幅を有する補助用の単位塗布ロールが、前記搬送方向視においてその特定の単位塗布ロールにほぼ重複する状態で前記搬送ラインの搬送方向下手側に配置され、
前記塗布ロールの前方に当接する絞りロールが設けてある建築用外装板の塗装設備。
【請求項２】
前記複数の単位塗布ロールが、前記搬送ラインの平面視において、その搬送ラインの搬送中心線を中心として左右対称に配置されている請求項１に記載の建築用外装板の塗装設備。
【発明の詳細な説明】
【０００１】
【発明の属する技術分野】
本発明は、セメントを主材とする外装板の基板をその裏面を下方に向けて搬送する搬送ラインと、その搬送ラインに沿って搬送される基板の裏面に防水剤を塗布する塗布ロールとを備えている建築用外装板の塗装設備に関する。
【０００２】
【従来の技術】
セメントを主材とする建築用外装板としては、屋根材や壁材などがあり、たとえ裏面であっても、雨水などに接触する可能性があるため、外装板の基板裏面に塗布ロールにより防水剤を塗布することが実施されている。
そのための塗装設備は、図７の（イ）〜（ロ）に示すように、多数の基板１をその裏面３を下方に向けて連続的に搬送する搬送ライン４を備え、その搬送ライン４の下方に液状の防水剤６を収納する液槽５を配置し、搬送ライン４と液槽５との間に回転駆動される鉄ロール７と、絞りロール１３を備えた塗布ロール１２を配設し、塗布ロール１２の下方部分を防水剤６に浸しながら、その塗布ロール１２により各基板１の裏面３に防水剤６を塗布するように構成したものが知られている。
【０００３】
この従来の装置では、塗布ロール１２が、鉄心の周りにスポンジを巻き付けたスポンジ製のロールで構成され、図７の（イ）に示すように、鉄ロール７よりも搬送方向の下手側に１本だけ配設されたものや、図７の（ロ）に示すように、２本配設されたものがあるが、いずれの装置においても、スポンジ製の塗布ロール１２が、搬送ライン４の搬送方向視において、基板１の横幅ｄよりも長い横幅Ｄを有するように構成されていた。
【０００４】
【発明が解決しようとする課題】
ところが、セメントを主材とする外装板の基板１においては、乾燥の状態などによって基板１に反りが生じることがあり、その反りは、図７の（ハ）に示すように、基板１の横幅ｄ方向に沿って生じることが多い。また、たとえ反りが生じなくても、搬送ライン４に沿って搬送される際に、その基板１が上下に振動することもある。
したがって、従来のように、塗布ロール１２の横幅Ｄが基板１の横幅ｄよりも長いと、基板１に反りが生じたり、搬送時に上下に振動する場合、塗布ロール１２が基板１裏面の全面積にわたって確実に接触せず、防水剤６の塗布むらが生じるという欠点があった。
【０００５】
本発明は、このような従来の欠点に着目したもので、その目的は、たとえ外装板の基板に反りがあっても、また、搬送ラインに沿っての搬送時に上下に振動しても、塗布ロールを基板裏面の全面積にわたってより一層確実に接触させ得るようにし、基板裏面への防水剤の塗布を良好に行い得る建築用外装板の塗装設備を提供することにある。
【０００６】
【課題を解決するための手段】
〔構成〕
請求項１の発明の特徴構成は、図１〜図６に例示するごとく、セメントを主材とする外装板の基板１をその裏面３を下方に向けて搬送する搬送ライン４と、その搬送ライン４に沿って搬送される基板１の裏面３に防水剤６を塗布する塗布ロール１０，１２とを備えている建築用外装板の塗装設備であって、１列目に、基板を保持する鉄ロールが設けられ、前記鉄ロールより搬送方向下手側に備えられた前記塗布ロール１０，１２が、前記搬送ライン４の搬送方向視において前記基板１の横幅ｄよりも短い横幅ｄ１を有する複数の単位塗布ロール１０ｂ，１２ｂで構成され、その複数の単位塗布ロール１０ｂ，１２ｂのうち、前記搬送方向視において互いに隣接するものどうしが重複して、前記搬送方向視における前記複数の単位塗布ロール１０ｂ，１２ｂの全横幅Ｄが、前記基板１の横幅ｄよりも長くなるように構成され、前記単位塗布ロールとしての単位モールロールの配置は、搬送方向上手側には前記搬送方向視での左右に振り分けた状態で一対の単位モールロールが配設され、それら一対の単位モールロールの搬送方向下手側には、前記両単位モールロールの中間に位置する状態で一つの単位モールロールが配設され、前記複数の単位塗布ロール１０ｂ，１２ｂのうち、特定の単位塗布ロール１０ｂ，１２ｂとほぼ同じ横幅ｄ１を有する補助用の単位塗布ロール１０ｂ，１２ｂが、前記搬送方向視においてその特定の単位塗布ロール１０ｂ，１２ｂにほぼ重複する状態で前記搬送ライン４の搬送方向下手側に配置され、前記塗布ロールの前方に当接する絞りロールが設けてあるところにある。
【０００８】
請求項２の発明の特徴構成は、図２〜図５に例示するごとく、前記複数の単位塗布ロール１０ｂ，１２ｂが、前記搬送ライン４の平面視において、その搬送ライン４の搬送中心線Ｌを中心として左右対称に配置されているところにある。
【０００９】
なお、上述のように、図面との対照を便利にするために符号を記したが、該記入により本発明は添付図面の構成に限定されるものではない。
【００１０】
〔作用及び効果〕
請求項１の発明の特徴構成によれば、外装板の基板裏面に防水剤を塗布する塗布ロールが、基板の搬送ラインの搬送方向視において基板の横幅よりも短い横幅を有する複数の単位塗布ロールで構成されているので、基板に反りがあっても、また、搬送時に上下に振動しても、各単位塗布ロールは、その横幅方向の全長にわたって基板裏面に良好に接触することが可能となる。
そして、その複数の単位塗布ロールのうち、搬送方向視において互いに隣接するものどうしが重複して、搬送方向視における複数の単位塗布ロールの全横幅が、基板の横幅よりも長くなるように構成されているので、結局、基板裏面の全面積にわたって各単位塗布ロールが確実に接触することになり、基板裏面の全面積にわたる防水剤の塗布が可能になる。
また、複数の単位塗布ロールのうち、特定の単位塗布ロールとほぼ同じ横幅を有する補助用の単位塗布ロールが、搬送方向視においてその特定の単位塗布ロールにほぼ重複する状態で搬送ラインの搬送方向下手側に配置されているので、仮に特定の単位塗布ロールによる防水剤の塗布が不完全であっても、その不完全な基板裏面に対して搬送方向下手側に位置する補助用の単位塗布ロールが接触することになり、基板裏面の全面積にわたる防水剤の塗布がより一層確実となる。
【００１２】
請求項２の発明の特徴構成によれば、複数の単位塗布ロールが、搬送ラインの平面視において、その搬送ラインの搬送中心線を中心として左右対称に配置されているので、搬送ラインに沿って搬送される基板に作用する単位塗布ロールによる抵抗あるいは搬送力は、搬送ラインの搬送中心線に対して左右ほぼ対称となり、各基板は、左右に蛇行する虞が少なく、搬送ラインに沿って良好に搬送され、この搬送ラインに沿う搬送と、左右対称に配置される単位塗布ロールとの協働で、防水剤は、基板裏面に対し左右にほぼ均一化されて、その全面積にわたって塗布される。
【００１３】
【発明の実施の形態】
本発明による建築用外装板の塗装設備につき、その実施の形態を図面に基づいて説明する。
建築用外装板としては、屋根材や壁材などがあり、例えば、屋根材の場合であれば、図１〜図４に示すように、セメントを主材とする屋根材の基板１が、平面視において五角形に形成されている。
この五角形の基板１は、図外の表面用塗装設備により、上方に面する表面２に下塗りと上塗り塗装が施され、下方に面する裏面３にも、図２〜図５に示す裏面用塗装設備により防水剤が塗布される。
【００１４】
この裏面用塗装設備は、多数の基板１をその裏面３を下方に向けて連続的に搬送する搬送ライン４を備え、その搬送ライン４の下方には、図１に詳しく示すように、上方が開口した防水剤用の液槽５が配置され、液状のアクリル系あるいはシラン系などの防水剤６が収納されて、防水剤６の粘度や水位などが、図外の制御装置によってほぼ一定に維持されている。
前記搬送ライン４と液槽５の間には、その搬送ライン４に沿って、構造や機能の異なる複数種のロールと、構造や機能が同じで、搬送ライン４の搬送方向視における横幅のみが異なるロールなどが多数配設されている。
【００１５】
これらのロールには、図１に具体的に示すように、全体が鉄製で、主として基板１を保持するための鉄ロール７が含まれ、鉄心８と鉄心８の周りに巻き付けられた繊維材９とで構成されて、主として基板１の裏面に防水剤６を塗布するための塗布ロールとしてのモールロール１０と、鉄心８と硬質のスポンジ１１とで構成されて、基板１の裏面に防水剤６を塗布するとともに塗布された防水剤６の量を調整する塗布ロールとしてのスポンジロール１２も含まれている。
そして、絞りロール１３も適宜配設され、絞りロール１３を除いて、鉄ロール７、モールロール１０、スポンジロール１２の全てが、その下方の一部を防水剤６に浸した状態で、図外の駆動装置により図中の矢印方向にそれぞれ回転駆動されるように構成されている。
【００１６】
前記鉄ロール７には、搬送ライン４の搬送方向視において、基板１の横幅ｄよりも長い横幅Ｄを有する全幅鉄ロール７ａと、搬送ライン４の搬送方向視において、基板１の横幅ｄよりも短い横幅ｄ１を有する単位鉄ロール７ｂとが含まれている。
同様に、塗布ロールとしてのモールロール１０とスポンジロール１２にも、搬送ライン４の搬送方向視において、基板１の横幅ｄよりも長い横幅Ｄを有する全幅モールロール１０ａと全幅スポンジロール１２ａ、および、基板１の横幅ｄよりも短い横幅ｄ１を有する単位塗布ロールとしての単位モールロール１０ｂと単位スポンジロール１２ｂとが含まれ、これらモールロール１０とスポンジロール１２における横幅Ｄ，ｄ１の違いに対応するため、絞りロール１３も、横幅の異なる２種類の絞りロールが準備されている。
【００１７】
つぎに、上述した各種のロールを使用して構成した塗装設備の具体例につき、図２〜図５に基づいて説明する。
図２に示す塗装設備は、搬送ライン４の搬送方向に沿って、１０列にわたってロールが配設され、１列目には全幅鉄ロール７ａが、２列目には左右に振り分けた状態で一対の単位モールロール１０ｂが、３列目にも同じく左右に振り分けた状態で一対の単位モールロール１０ｂが配設され、３列目に位置する各単位モールロール１０ｂの前方には、それぞれ絞りロール１３が配設され、さらに、４列目には、２列目および３列目の両単位モールロール１０ｂの中間に位置する状態で、単位モールロール１０ｂが１本配設されている。
【００１８】
この２列目〜４列目に配設された５本の単位モールロール１０ｂの間においては、搬送ライン４の搬送方向視において互いに隣接するものどうしが重複するように構成されている。
つまり、搬送ライン４の搬送方向視において、２列目に配設された一対の単位モールロール１０ｂと４列目に配設された単位モールロール１０ｂとが互いに隣接する関係となり、同様に、３列目における一対の単位モールロール１０ｂと４列目の単位モールロール１０ｂも互いに隣接する関係となる。
このように搬送方向ライン４の搬送方向視において互いに隣接するものどうしの間では、その端部どうしが互いに重複して、搬送方向視において、各単位モールロール１０ｂの間に隙間ができないように構成され、さらに、各単位モールロール１０ｂによる全体の横幅Ｄが、全幅ロール７ａ，１０ａ，１２ａの横幅Ｄとほぼ同一、つまり、基板１の横幅ｄよりも長くなるように構成されている。したがって、図６の（イ）、（ロ）に示すように、各単位モールロール１０ｂが、その横幅方向の全長にわたってそれぞれ基板１の裏面３に確実に接触し、基板１の裏面３の全面積にわたる防水剤６の塗布が可能となる。
【００１９】
また、２列目と３列目に配設された４本の単位モールロール１０ｂは、全てほぼ同じ横幅ｄ１を有し、２列目に配設された一対の単位モールロール１０ｂと３列目に配設された一対の単位モールロール１０ｂとが、搬送ライン４の搬送方向視において、ほぼ重複する状態に配設されている。
換言すると、搬送ライン４の搬送方向上手側に位置する２列目の単位モールロール１０ｂが、特定の単位モールロールとして機能し、搬送方向下手側に位置する３列目の単位モールロール１０ｂが、補助用の単位モールロールとして機能して、その特定の単位モールロール１０ｂと補助用の単位モールロール１０ｂとが、搬送方向ライン４の搬送方向視において、互いにほぼ重複するように配設されている。
【００２０】
さらに、図２に示す塗装設備では、５列目と６列目に絞りロール１３を備えた単位スポンジロール１２ｂが配設され、７列目〜９列目に絞りロール１３を備えた全幅スポンジロール１２ａが配設されるとともに、１０列目には、５列目と６列目の単位スポンジロール１２ｂよりも横幅が短く、かつ、絞りロール１３を備えた単位スポンジロール１２ｂが配設されている。
そして、このような配列からなる塗装設備全体が、搬送ライン４の平面視において、その搬送ライン４の搬送中心線Ｌを中心として左右対称になるように各ロールが配設されている。
【００２１】
図３に示す塗装設備も１０列にわたってロールが配設され、１列目に全幅鉄ロール７ａが、２列目〜４列目に左右に振り分けた状態で一対の単位モールロール１０ｂが配設され、３列目と４列目に位置する各単位モールロール１０ｂの前方には、それぞれ絞りロール１３が配設されている。
５列目と６列目には、単位モールロール１０ｂが１本ずつ、また、７列目には、単位スポンジロール１２ｂが１本、それぞれ２列目〜４列目の両単位モールロール１０ｂの中間に位置するように配設され、３列目、４列目、６列目、７列目の単位モールロール１０ｂと単位スポンジロール１２ｂの前方には、それぞれ絞りロール１３が配設されている。
そして、８列目〜１０列目には、絞りロール１３を備えた全幅スポンジロール１２ａが配設されて、塗装設備全体が、搬送ライン４の平面視において、搬送中心線Ｌを中心として左右対称になるように構成されている。
【００２２】
この図３に示す塗装設備では、２列目〜７列目に配設された８本の単位モールロール１０ｂと１本の単位スポンジロール１２ｂとの間において、搬送ライン４の搬送方向視において互いに隣接するものどうしが重複し、かつ、その全体の横幅Ｄが、基板１の横幅ｄよりも長くなる関係が成立するように構成されている。
さらに、２列目〜４列目に配設された６本の単位モールロール１０ｂの間において、上述した特定の単位モールロール１０ｂと補助用の単位モールロール１０ｂとの関係が成立するように、また、５列目と６列目の単位モールロール１０ｂ間においても同様な関係が成立するように構成されている。
【００２３】
そして、５列目、６列目の単位モールロール１０ｂと７列目の単位スポンジロール１２ｂとの間においては、３本のロール１０ｂ，１２ｂがほぼ同じ横幅ｄ１を有し、５列目、６列目の単位モールロール１０ｂが、特定の単位モールロールとして機能し、搬送方向下手側に位置する７列目の単位スポンジロール１２ｂが、補助用の単位スポンジロールとして機能して、その特定の単位モールロール１０ｂと補助用の単位スポンジロール１２ｂとが、搬送方向ライン４の搬送方向視において、互いにほぼ重複するように配設されている。
【００２４】
図４に示す塗装設備も１０列にわたってロールが配設され、１列目に全幅鉄ロール７ａが、２列目に左右に振り分けた一対の単位モールロール１０ｂが、３列目に絞りロール１３を備えた一対の単位モールロール１０ｂが配設され、４列目には、左右に振り分けた一対の単位鉄ロール７ｂが配設されている。
５列目〜７列目には、単位モールロール１０ｂ、単位鉄ロール７ｂ、ならびに、絞りロール１３を備えた単位スポンジロール１２ｂが、この順で１本ずつ配設され、８列目〜１０列目には、絞りロール１３を備えた全幅スポンジロール１２ａが配設されて、搬送ライン４の平面視において、搬送中心線Ｌを中心として左右対称になるように構成されている。
【００２５】
この図４に示す塗装設備では、２列目、３列目、５列目、７列目に配設された５本の単位モールロール１０ｂと１本の単位スポンジロール１２ｂとの間において、搬送ライン４の搬送方向視において互いに隣接するものどうしが重複し、かつ、その全体の横幅Ｄが、基板１の横幅ｄよりも長くなる関係が成立するように構成されている。
そして、２列目と３列目に配設された４本の単位モールロール１０ｂの間において、上述した特定の単位モールロール１０ｂと補助用の単位モールロール１０ｂとの関係が成立し、５列目の単位モールロール１０ｂと７列目の単位スポンジロール１２ｂとの間において、上述した特定の単位モールロール１０ｂと補助用の単位スポンジロール１２ｂとの関係が成立するように構成されている。
【００２６】
図５に示す塗装設備は１２列にわたってロールが配設され、１列目に全幅鉄ロール７ａが、２列目に左右に振り分けた一対の単位モールロール１０ｂが、３列目と４列目に絞りロール１３を備えた一対の単位モールロール１０ｂが配設され、５列目には、単位モールロール１０ｂが、６列目〜８列目には、絞りロール１３を備えた単位モールロール１０ｂが、それぞれ１本ずつ配設され、９列目と１０列目には、絞りロール１３を備えた一対の単位スポンジロール１２ｂが、１１列目と１２列目には、絞りロール１３を備えた１本の単位スポンジロール１２ｂが、それぞれ配設されて、搬送中心線Ｌを中心として左右対称になるように構成されている。
【００２７】
この図５に示す塗装設備では、２列目〜１２列目に配設された１０本の単位モールロール１０ｂと６本の単位スポンジロール１２ｂとの間において、搬送ライン４の搬送方向視において互いに隣接するものどうしが重複し、かつ、その全体の横幅Ｄが、基板１の横幅ｄよりも長くなる関係が成立するように構成されている。
そして、２列目〜４列目に配設された６本の単位モールロール１０ｂの間において、また、５列目〜８列目に配設された４本の単位モールロール１０ｂの間において、上述した特定の単位モールロール１０ｂと補助用の単位モールロール１０ｂとの関係が成立し、２列目〜４列目の単位モールロール１０ｂと９列目、１０列目の単位スポンジロール１２ｂとの間において、また、５列目〜８列目の単位モールロール１０ｂと１０列目、１１列目の単位スポンジロール１２ｂとの間において、上述した特定の単位モールロール１０ｂと補助用の単位スポンジロール１２ｂとの関係が成立するように構成されている。
【００２８】
さらに、９列目と１０列目の単位スポンジロール１２ｂの間においては、４本の単位スポンジロール１２ｂがほぼ同じ横幅ｄ１を有し、９列目の単位スポンジロール１２ｂが、特定の単位スポンジロールとして機能し、搬送方向下手側に位置する１０列目の単位スポンジロール１２ｂが、補助用の単位スポンジロールとして機能して、その特定の単位スポンジロール１２ｂと補助用の単位スポンジロール１２ｂとが、搬送ライン４の搬送方向視において、互いにほぼ重複するように構成されている。
同様に、１１列目と１２列目に単位スポンジロール１２ｂの間においても、１１列目の単位スポンジロール１２ｂが、特定の単位スポンジロールとして、また、１２列目の単位スポンジロール１２ｂが、補助用の単位スポンジロールとして機能して、その特定の単位スポンジロール１２ｂと補助用の単位スポンジロール１２ｂとが、搬送ライン４の搬送方向視において、互いにほぼ重複するように構成されている。
【００２９】
【００３０】
【００３１】
【００３２】
【００３３】
〔別実施形態〕
（１）先の実施形態では、搬送ライン４の搬送方向視において、互いに隣接する単位塗布ロールとしての単位モールロール１０ｂや単位スポンジロール１２ｂの端部どうしが互いに重複するように構成し、それに加えて、特定の単位モールロール１０ｂや単位スポンジロール１２ｂの搬送方向下手側に補助用の単位モールロール１０ｂや単位スポンジロール１２ｂを配置した構成を示したが、この特定の単位塗布ロールと補助用の単位塗布ロールに関しては、必ずしも必要不可欠なものではなく、これをなくして実施することもできる。
【００３４】
（２）先の実施形態では、搬送ライン４の平面視において、その搬送中心線Ｌを中心として単位塗布ロールとしての単位モールロール１０ｂや単位スポンジロール１２ｂを左右対称になるように配置した例を示したが、必ずしも左右対称になるように配置する必要はない。
また、単位塗布ロールの例として、鉄心８の周りに繊維材９を巻き付けた単位モールロール１０ｂと、鉄心８の周りに硬質のスポンジ１１を巻き付けた単位スポンジロール１２ｂを示したが、単位塗布ロールの具体的な構成については、種々の変更が可能である。
【図面の簡単な説明】
【図１】  外装板塗装設備の要部を示す縦断側面図
【図２】  外装板塗装設備の全体の平面図
【図３】  外装板塗装設備の全体の平面図
【図４】  外装板塗装設備の全体の平面図
【図５】  外装板塗装設備の全体の平面図
【図６】  外装板塗装設備の作用を示す要部の正面図
【図７】  従来の外装板塗装設備の全体の平面図と作用を示す要部の正面図
【符号の説明】
１              基板
３              基板の裏面
４              搬送ライン
６              防水剤
１０，１２      塗布ロール
１０ｂ，１２ｂ  単位塗布ロール
Ｄ              単位塗布ロールの全横幅
ｄ              基板の横幅
ｄ１            単位塗布ロールの横幅
Ｌ              搬送ラインの搬送中心線
【図１】
0004727079.tif 000002
【図２】
0004727079.tif 000003
【図３】
0004727079.tif 000004
【図４】
0004727079.tif 000005
【図５】
0004727079.tif 000006
【図６】
0004727079.tif 000007
【図７】
0004727079.tif 000008